【手続補正書】
【提出日】平成16年12月15日(2004.12.15)
【手続補正１】
【補正対象書類名】明細書
【補正対象項目名】発明の名称
【補正方法】変更
【補正の内容】
【発明の名称】画像認識方法、画像認識装置及びコンピュータプログラム
【手続補正２】
【補正対象書類名】明細書
【補正対象項目名】特許請求の範囲
【補正方法】変更
【補正の内容】
【特許請求の範囲】
【請求項１】
圧縮記録された画像データから所定のブロックごとに空間周波数情報と色度情報とを取得して、上記圧縮記録された画像データにおける注目画像検索のために利用するとともに、入力画像サイズにより部分領域の周波数成分の特徴量を切替えるようにしたことを特徴とする画像認識方法。
【請求項２】
複数の画素を１つの圧縮単位として圧縮された圧縮画像データを解凍する過程で、上記圧縮単位である複数の部分画素領域のそれぞれについて２次元空間周波数情報を含むデータを抽出し、上記抽出された部分領域の交流周波数成分の特徴量が、入力画像サイズにより予め設定してある部分領域の空間周波数成分の注目画像特徴量を選択もしくは算出する工程によるものと、その特徴量が所定範囲内に収まっているか否かを検出して、各々の部分領域が注目画像対象であるか否かを判定する工程とを有することを特徴とする画像認識方法。
【請求項３】
２次元空間周波数領域へ直交変換を用いて複数画素単位で交流成分を含んで圧縮された圧縮データを非圧縮データへと復元する過程を利用する画像認識方法であって、
上記圧縮データを非圧縮データへと復元する時に、圧縮の単位である複数の部分画素領域について、交流周波数成分を含むデータを抽出するデータ抽出工程と、
上記データ抽出工程によって抽出された部分領域の交流周波数成分の特徴量が、入力画像サイズにより予め設定してある部分領域の空間周波数成分の注目画像特徴量を選択もしくは算出する工程によるものと、その特徴量が所定範囲内に収まっているか否かに基づいて、上記抽出された部分領域のそれぞれが注目画像対象部分に入っているか否かを判定する判定工程とを有することを特徴とする画像認識方法。
【請求項４】
２次元空間周波数領域へ直交変換を用いて複数画素単位で交流成分を含んで圧縮された圧縮データを非圧縮データへと復元する過程を利用する画像認識方法であって、
上記圧縮データを非圧縮データへと復元する時に、圧縮の単位である複数の部分画素領域について、交流周波数成分を含むデータを抽出するデータ抽出工程と、
上記データ抽出工程によって抽出された部分領域の交流周波数成分の各値と色度の特徴量が、注目画像特徴量の所定範囲内に収まっているか否かに基づいて、その部分領域が注目画像対象部分に入っているか否かを判定する判定工程と、
上記判定工程の判定基準要素として入力画像サイズにより部分領域の周波数成分の基準特徴量を切替える特徴量を切替え工程とを有することを特徴とする画像認識方法。
【請求項５】
２次元空間周波数領域へ直交変換を用いて複数画素単位で交流成分を含んで圧縮された圧縮データを非圧縮データへと復元する過程を利用する画像認識方法であって、
上記圧縮データを非圧縮データへと復元する時に、圧縮の単位である複数の部分画素領域について、交流周波数成分を含むデータを抽出するデータ抽出工程と、
上記データ抽出工程によって抽出された交流周波数成分の特徴量により画像領域を複数の部分領域に分割する画像領域分割工程と、
上記画像領域分割工程によって分割された各部分領域の範囲における色度の特徴量が、注目画像特徴量の所定範囲内に収まっているか否かに基づいて、それぞれの部分領域が注目画像対象部分に入っているか否かを判定する判定工程と、
上記判定工程の判定基準要素として入力画像サイズにより部分領域の周波数成分の特徴量を切替える特徴量を切替え工程とを有することを特徴とする画像認識方法。
【請求項６】
上記圧縮画像データはJpeg ファイルデータであることを特徴とする請求項１〜５の何れか１項に記載の画像認識方法。
【請求項７】
上記注目画像対象部分に入っているか否かの判定を行うための情報に、上記抽出された部分領域の画像全体における配置情報が加えられたことを特徴とする請求項２〜６の何れか１項に記載の画像認識方法。
【請求項８】
上記注目画像対象部分に入っているか否かの判定を行うための情報に、上記抽出された部分領域の隣接した連続性情報が縦と横方向に加えられたことを特徴とする請求項２〜７の何れか１項に記載の画像認識方法。
【請求項９】
上記注目画像対象部分に入っているか否かの判定を行うための情報に、上記抽出された部分領域の直流成分が加えられたことを特徴とする請求項２〜７の何れか１項に記載の画像認識方法。
【請求項１０】
上記注目画像対象部分の判定において、上記設定範囲の中で複数の注目画像対象部分候補が検出された場合に、上記検出された部分領域の隣接した連続が一番多い注目画像対象部分候補を注目画像対象部分に該当すると判定することを特徴とする請求項７〜９の何れか１項に記載の画像認識方法。
【請求項１１】
上記検出された部分領域の隣接した連続が一番多い注目画像対象部分候補を含む部分領域に連続で隣接している部分領域において、色度が適正範囲に入っている注目画像対象部分候補を含めて注目画像とすることを特徴とする請求項１０に記載の画像認識方法。
【請求項１２】
上記検出した注目画像領域内において、部分領域の連続が２番目以降に長いものの含有率で検出した注目画像の検出の確からしさを求めることを行うようにしたことを特徴とする請求項１１に記載の画像認識方法。
【請求項１３】
上記検出した注目画像の確からしさを用いて画像補正強度を決定するようにしたことを特徴とする請求項１２に記載の画像認識方法。
【請求項１４】
上記検出した注目画像領域内の輝度情報を作成し、上記作成した輝度情報を元に、画像全体への露出補正を行うようにしたことを特徴とする請求項１１〜１３の何れか１項に記載の画像認識方法。
【請求項１５】
上記注目画像の検出長と出力プリントサイズとの関係により、上記注目画像サイズが上記出力プリントサイズ上一定の長さの許容に入らない場合は画像補正を行わないことを特徴とする請求項１〜１４の何れか1項に記載の画像認識方法。
【請求項１６】
圧縮記録された画像データから所定のブロックごとに空間周波数情報と色度情報とを取得して、上記圧縮記録された画像データにおける注目画像検索のために利用するようにするとともに、入力画像サイズにより部分領域の周波数成分の特徴量を切替えるようにしたことを特徴とする画像認識装置。
【請求項１７】
複数の画素を１つの圧縮単位として圧縮された圧縮画像データを解凍する過程で、上記圧縮単位である複数の部分画素領域のそれぞれについて２次元空間周波数情報を含むデータを抽出し、上記抽出された部分領域の交流周波数成分の特徴量が、入力画像サイズにより予め設定してある部分領域の空間周波数成分の注目画像特徴量を選択もしくは算出する手段と、その特徴量が所定範囲内に収まっているか否かを検出して、各々の部分領域が注目画像対象であるか否かを判定する手段とを有することを特徴とする画像認識装置。
【請求項１８】
２次元空間周波数領域へ直交変換を用いて複数画素単位で交流成分を含んで圧縮された圧縮データを非圧縮データへと復元する過程を利用する画像認識装置であって、
上記圧縮データを非圧縮データへと復元する時に、圧縮の単位である複数の部分画素領域について、交流周波数成分を含むデータを抽出するデータ抽出手段と、
上記データ抽出手段によって抽出された部分領域の交流周波数成分の特徴量が、入力画像サイズにより予め設定してある部分領域の空間周波数成分の注目画像特徴量を選択もしくは算出する工程によるものと、その特徴量が所定範囲内に収まっているか否かに基づいて、上記抽出された部分領域のそれぞれが注目画像対象部分に入っているか否かを判定する判定手段とを有することを特徴とする画像認識装置。
【請求項１９】
２次元空間周波数領域へ直交変換を用いて複数画素単位で交流成分を含んで圧縮された圧縮データを非圧縮データへと復元する過程を利用する画像認識装置であって、
上記圧縮データを非圧縮データへと復元する時に、圧縮の単位である複数の部分画素領域について、交流周波数成分を含むデータを抽出するデータ抽出手段と、
上記データ抽出手段によって抽出された部分領域の交流周波数成分の各値と色度の特徴量が、注目画像特徴量の所定範囲内に収まっているか否かに基づいて、その部分領域が注目画像対象部分に入っているか否かを判定する判定手段と、
上記判定手段の判定基準要素として入力画像サイズにより部分領域の周波数成分の特徴量を切替える特徴量を切替え手段とを有することを特徴とする画像認識装置。
【請求項２０】
２次元空間周波数領域へ直交変換を用いて複数画素単位で交流成分を含んで圧縮された圧縮データを非圧縮データへと復元する過程を利用する画像認識装置であって、
上記圧縮データを非圧縮データへと復元する時に、圧縮の単位である複数の部分画素領域について、交流周波数成分を含むデータを抽出するデータ抽出手段と、
上記データ抽出手段によって抽出された交流周波数成分の特徴量により画像領域を複数の部分領域に分割する画像領域分割手段と、
上記画像領域分割手段によって分割された各部分領域の範囲における色度の特徴量が、注目画像特徴量の所定範囲内に収まっているか否かに基づいて、それぞれの部分領域が注目画像対象部分に入っているか否かを判定する判定手段と、
上記判定手段の判定基準要素として入力画像サイズにより部分領域の周波数成分の特徴量を切替える特徴量を切替え手段とを有することを特徴とする画像認識装置。
【請求項２１】
２次元空間周波数領域へ直交変換を用いて複数画素単位で交流成分を含んで圧縮された圧縮データを非圧縮データへと復元する過程を利用する画像認識方法を実行可能なコンピュータプログラムであって、
上記圧縮データを非圧縮データへと復元する時に、圧縮の単位である複数の部分画素領域について、交流周波数成分を含むデータを抽出するデータ抽出工程と、
上記データ抽出工程によって抽出された部分領域の交流周波数成分の特徴量が、注目画像特徴量の所定範囲内に収まっているか否かに基づいて、上記抽出された部分領域のそれぞれが注目画像対象部分に入っているか否かを判定する判定工程とをコンピュータに実行させることを特徴とするコンピュータプログラム。
【請求項２２】
２次元空間周波数領域へ直交変換を用いて複数画素単位で交流成分を含んで圧縮された圧縮データを非圧縮データへと復元する過程を利用する画像認識方法を実行可能なコンピュータプログラムであって、
上記圧縮データを非圧縮データへと復元する時に、圧縮の単位である複数の部分画素領域について、交流周波数成分を含むデータを抽出するデータ抽出工程と、
上記データ抽出工程によって抽出された部分領域の交流周波数成分の各値と色度の特徴量が、注目画像特徴量の所定範囲内に収まっているか否かに基づいて、その部分領域が注目画像対象部分に入っているか否かを判定する判定工程とをコンピュータに実行させることを特徴とするコンピュータプログラム。
【請求項２３】
２次元空間周波数領域へ直交変換を用いて複数画素単位で交流成分を含んで圧縮された圧縮データを非圧縮データへと復元する過程を利用する画像認識方法を実行可能なコンピュータプログラムであって、
上記圧縮データを非圧縮データへと復元する時に、圧縮の単位である複数の部分画素領域について、交流周波数成分を含むデータを抽出するデータ抽出工程と、
上記データ抽出工程によって抽出された交流周波数成分の特徴量により画像領域を複数の部分領域に分割する画像領域分割工程と、
上記画像領域分割工程によって分割された各部分領域の範囲における色度の特徴量が、注目画像特徴量の所定範囲内に収まっているか否かに基づいて、それぞれの部分領域が注目画像対象部分に入っているか否かを判定する判定工程とをコンピュータに実行させることを特徴とするコンピュータプログラム。
【手続補正３】
【補正対象書類名】明細書
【補正対象項目名】０００１
【補正方法】変更
【補正の内容】
【０００１】
【発明の属する技術分野】
本発明は画像認識方法、画像認識装置及びコンピュータプログラムに係わり、特に、圧縮された画像データ形式であるJpegファイル画像を認識するために用いて好適なものである。
【手続補正４】
【補正対象書類名】明細書
【補正対象項目名】００１４
【補正方法】削除
【補正の内容】